(57)【要約】【課題】アクセスプローブ再送のための再送タイムアウト値を決定する推定ベースアプローチを提供する。【解決手段】グループ通信システムにおいて潜時を低減するためのシステムと方法は、アクセスプローブを送信することと、通信パラメータに関する所定基準を確立することと、所定基準に基づいて通信装置に再送タイムアウト値を設定することとを有し、前記再送タイムアウト値は、前記通信装置がアクセスプローブの再送を始める前にアクセスプローブの伝送に続く認識を待つ時間量である。【選択図】
2010512721.tif 000002
【特許請求の範囲】
【請求項１】
グループ通信システムにおいて潜時を低減するための方法であり、
アクセスプローブを送信することと、
通信パラメータに関する所定基準を確立することと、
前記所定基準に基づいて通信装置に再送タイムアウト値を設定することとを有し、前記再送タイムアウト値は、前記通信装置がアクセスプローブの再送を始める前に前記アクセスプローブの伝送に続く認識を待つ時間量である方法。
【請求項２】
前記再送タイムアウト値は、アクセスプローブ伝送の間に動的に調節される請求項１の方法。
【請求項３】
前記再送タイムアウト値は、バックホール遅延の観測値に基づいてアクセスチャネル上へのすべての伝送前に調節される請求項１の方法。
【請求項４】
その次のプローブ伝送に対する適当な値を決定するためにバックホール遅延の過去観測が使用される請求項３の方法。
【請求項５】
前記再送タイムアウト値はｘミリ秒（ｍｓｅｃ）であり、６０ｍｓｅｃ≦ｘ≦１６０ｍｓｅｃである請求項１の方法。
【請求項６】
前記再送タイムアウト値の決定は、アクセスチャネル上への新しい呼出のための最初のメッセージ伝送に続く先の伝送の観測バックホール遅延を含む請求項１の方法。
【請求項７】
前記再送タイムアウト値の決定は、順方向共通制御チャネル（Ｆ−ＣＣＣＨ）上のバックホール遅延の自己相関関数を含む請求項１の方法。
【請求項８】
前記再送タイムアウト値の決定は、選択時間間隔上のバックホール遅延の時間相関に関する情報を提供するパラメトリック曲線を含む請求項１の方法。
【請求項９】
アクセスプローブを送信するように構成された論理と、
通信パラメータに関する所定基準を確立するように構成された論理と、
前記所定基準に基づいて通信装置に再送タイムアウト値を設定するように構成された論理とを備え、前記再送タイムアウト値は、前記通信装置がアクセスプローブの再送を始める前に前記アクセスプローブの伝送に続く認識を待つ時間量である装置。
【請求項１０】
アクセスプローブ伝送の間に前記再送タイムアウトを動的に調節するように構成された論理をさらに備えている請求項９の装置。
【請求項１１】
バックホール遅延の観測値に基づいてアクセスチャネル上へのすべての伝送前に前記再送タイムアウト値を調節するように構成された論理をさらに備えている請求項９の装置。
【請求項１２】
バックホール遅延の過去観測に基づいてその次のプローブ伝送に対する適当な値を決定するように構成された論理をさらに備えている請求項１１の装置。
【請求項１３】
前記再送タイムアウト値はｘミリ秒（ｍｓｅｃ）であり、６０ｍｓｅｃ≦ｘ≦１６０ｍｓｅｃである請求項９の装置。
【請求項１４】
アクセスチャネル上への新しい呼出のための最初のメッセージ伝送に続くすべての先の伝送の観測バックホール遅延を含む再送タイムアウト値を決定するように構成された論理をさらに備えている請求項９の装置。
【請求項１５】
順方向共通制御チャネル（Ｆ−ＣＣＣＨ）上のバックホール遅延の自己相関関数を含む前記再送タイムアウト値を決定するように構成された論理をさらに備えている請求項９の装置。
【請求項１６】
選択時間間隔上のバックホール遅延の時間相関に関する情報を提供するパラメトリック曲線を含む前記再送タイムアウト値を決定するように構成された論理をさらに備えている請求項９の装置。
【請求項１７】
グループ通信システムにおいて潜時を低減するためのシステムであり、
アクセスプローブを送信するための手段と、
通信パラメータに関する所定基準を確立するための手段と、
前記所定基準に基づいて通信装置に再送タイムアウト値を設定するための手段とを備え、前記再送タイムアウト値は、前記通信装置がアクセスプローブの再送を始める前にアクセスプローブの伝送に続く認識を待つ時間量であるシステム。
【請求項１８】
前記再送タイムアウト値は、アクセスプローブ伝送の間に動的に調節される請求項１７のシステム。
【請求項１９】
前記再送タイムアウト値は、バックホール遅延の観測値に基づいてアクセスチャネル上へのすべての伝送前に調節される請求項１７のシステム。
【請求項２０】
その次のプローブ伝送に対する適当な値を決定するためにバックホール遅延の過去観測が使用される請求項１９のシステム。
【請求項２１】
アクセスプローブを送信することと、
通信パラメータに関する所定基準を確立することと、
前記所定基準に基づいて通信装置に再送タイムアウト値を設定することとを有し、前記再送タイムアウト値は、前記通信装置がアクセスプローブの再送を始める前にアクセスプローブの伝送に続く認識を待つ時間量である方法を、実行されたときに、コンピューティング装置に実施させる命令を有するコンピュータプログラムが格納されたコンピュータ読取可能媒体。
【請求項２２】
前記再送タイムアウト値は、アクセスプローブ伝送の間に動的に調節される請求項２１のコンピュータ読取可能媒体。
【請求項２３】
前記再送タイムアウト値は、バックホール遅延の観測値に基づいてアクセスチャネル上へのすべての伝送前に調節される請求項２１のコンピュータ読取可能媒体。
【請求項２４】
その次のプローブ伝送に対する適当な値を決定するためにバックホール遅延の過去観測が使用される請求項２１のコンピュータ読取可能媒体。
【発明の詳細な説明】
【技術分野】
【０００１】
（１．分野）
本発明は一般に、通信ネットワークの潜時を低減することに関する。特に、本発明はグループ通信システムにおいて呼出設定の間の最初のプッシュ・トゥ・トーク（ＰＴＴ）潜時を低減することに関する。
【背景技術】
【０００２】
（２．背景）
無線通信システムは、第一世代アナログ無線電話サービス（１Ｇ）と（暫時の２．５Ｇと２．７５Ｇネットワークを含む）第二世代（２Ｇ）ディジタル無線電話サービスと第三世代（３Ｇ）高速データ／インターネット利用可能無線サービスとを含め、さまざまな世代を通じて発展してきた。現在、携帯およびパーソナル通信サービス（ＰＣＳ）システムとを含め、様々なタイプの無線通信システムが使用されている。既知の携帯システムの例としては、携帯アナログ先進移動電話サービス（ＡＭＰＳ）と、符号分割多元接続（ＣＤＭＡ）、時分割多元接続（ＴＤＭＡ）、ＴＤＭＡの移動体アクセス用広域システム（ＧＳＭ）バリエーション、ＴＤＭＡと符号分割多元接続技術の両方を使用しているより新しいハイブリッドディジタル通信システムに基づいたディジタル携帯システムとがある。
【０００３】
符号分割多元接続移動体通信を提供する方法は、米国電気通信工業会／米国電子機械工業会によって、ここでＩＳ−９５と呼ばれる「デュアルモード広帯域スペクトル拡散携帯システムのための移動局基地局コンパティビリティ基準」と題するＴＩＡ／ＥＩＡ／ＩＳ−９５−Ａにおいてアメリカで標準化された。複合ＡＭＰＳ＆ＣＤＭＡシステムはＴＩＡ／ＥＩＡ規格ＩＳ−９８において説明されている。他の通信システムは、ＩＭＴ−２０００／ＵＭ、すなわち国際移動体通信システム２０００／ユニバーサル年移動体通信システム、広帯域ＣＤＭＡ（ＷＣＤＭＡ）、ＣＤＭＡ２０００（たとえばＣＤＭＡ２０００ １ｘＲＴＴ「１ｘ」および１ｘＥＶ−ＤＯ規格「１ｘＥＶ」など）またはＴＤ−ＳＣＤＭＡと呼ばれるものをカバーする規格に説明されている。
【０００４】
無線通信システムでは、移動局またはアクセス端末は、基地局の近隣または周囲の特定の地理的領域内の通信リンクまたはサービスを支持する固定位置基地局から信号を受信する。これらの基地局の一つ以上がセルと呼ばれるグループに組織され得る。通用範囲を提供することを援助するために、各セルは多数のセクターにしばしば細分され、そのおのおのはより小さいサービスエリアまたは地理的領域に対応している。互いに隣接して配置されたアレイまたは一連の基地局は、より大きな領域に、多くのシステムユーザーをサービスすることの可能な通信システムを形成する。
【０００５】
一般に、各移動局は、移動局と基地局との間のメッセージを交換するために使用され得る制御チャネルを監視する。制御チャネルはシステム／オーバヘッドメッセージを送信するために使用されるのに対し、トラヒックチャネルは移動局間での本質的な通信（たとえば音声とデータ）に一般的に使用される。
【０００６】
たとえば、制御チャネルは、トラヒックチャネル、制御電力レベルおよび同様のものを確立するために使用され得、この技術分野で知られている。一般に、逆方向リンクのための二つのタイプの電力制御、開ループおよび閉ループ電力制御がある。開ループ電力制御は一般に、基地局とのコンタクトを確立する移動体端末の前に起こる。閉ループ制御は、移動体と基地局が通信状態にあり、基地局が受信電力レベルを測定し電力レベル調節を移動体端末へフィードバックすることができる後に起こる。
【０００７】
開ループ状態では、移動体端末から基地局への最初の通報信号（たとえばアクセスプローブ）のための逆方向リンク電力は、基地局またはアクセスポイントからの専用信号を監視することによって決定され得る。たとえば、ＣＤＭＡシステムでは、チャネルコンディションを推定し、次に基地局へ送信し戻すために電力推定を決定するためにパイロット信号が使用され得る。チャネルコンディションと電力推定の精度は、システムの性能、特にシステムの潜時中に非常に強く影響を与え得る。たとえば、１ｘおよび１ｘＥＶシステムは、電力制御アルゴリズムに基づいて第一電力レベルでアクセスプローブを送信するだろう。最初のアクセスの試みが成功しない場合、それが成功するか電力レベル最大に到達するまで、ますますより高い電力レベルでプローブが再送される。
【０００８】
電力に関連する問題（たとえばチャネルフェージング、時変ＲｏＴ、その他）によるメッセージ損失に加えて、アクセスプローブ衝突が地理的密集グループ呼出中の場合であるかもしれないため、アクセスチャネル損失がまた起こり得る。無線チャネルのフェージングにより引き起こされる損失は、アクセスプローブの送信電力を高めることにより最小にされ得る。アクセスチャネル上へのプローブ衝突による損失は、互いに対して同期されるプローブ伝送がそれらのプローブを同時に送信しないことを保証することにより緩和され得る。
【０００９】
付加的に、現代の無線通信システムの強化データ配信能力は、従来の音声サービスに加えてまたは代わりに向上したデータサービスのためのプラットフォームを提供した。そのようなサービスの例には、ボイスオーバーＩＰ（ＶｏＩＰ）、テキストおよびビデオメッセージング、グループ通信、ストリームビデオおよび同様のものがある。グループ通信システムはまた、プッシュ・トゥ・トーク（ＰＴＴ）システム、ネット放送サービス（ＮＢＳ）、ディスパッチシステムまたは単ポイント・トゥ・多ポイント通信システムとして知られ得る。一般に、アクセス端末ユーザーのグループは、各グループメンバーに割り当てられたアクセス端末を使用して互いに通信することができる。用語「グループメンバー」は、互いと通信することを認められたアクセス端末ユーザーのグループを示す。
【００１０】
グループは、既存のインフラストラクチャーへの本質的な変更を必要とすることなく、既存の通信システム上で作動し得る。したがって、コントローラとユーザーは、符号分割多元接続（ＣＤＭＡ）システム、時分割多元接続（ＴＤＭＡ）システム、移動体通信用広域システム(Global System for Mobile Communications)（ＧＳＭ）システム、衛星通信方式、陸線および無線システムの組み合わせおよび同様のものなどのインターネットプロトコル（ＩＰ）を使用してパケット情報を送受信可能なあらゆるシステムで作動し得る。
【００１１】
従来のグループ通信システムでは、グループの全メンバーはページされ、ページに応答した後にグループ通信へのアクセスを認められる。一般に、発信者アクセス端末は、グループ通信のための要請を初期化し、グループ（ターゲット）の全メンバーがページ付けされる。グループの各メンバーがページに応答するとき、彼らは、全メンバーが通信に参加／盗聴することができるように、通信へのアクセスを認められる。
【００１２】
迅速、効率的、一対一または１対多（グループ）通信を意図した無線サービスのクラスは、長年さまざまな形態で存在した。一般に、これらのサービスは半二重だった。そこでは、ユーザーは、グループ呼出を始めるために電話／ラジオのプッシュ・トゥ・トークボタンを押す。フロアを認められたら、話者は続いて一般に数秒のあいだだけ話をする。話者がＰＴＴのボタンを放した後、他のユーザーがフロアを要求し得る。これらのサービスは、ひとりの人（ディスパッチャー）が、サービスのためのディスパッチ名が来る所である、現場サービス人員またはタクシー運転手などの人々のグループと通信する必要がある通信する必要のある用途において伝統的に利用された。
【００１３】
グループ通信システムにおいて潜時を低減する方法の必要がある。
【発明の概要】
【００１４】
本発明の代表的な実施形態は、グループ通信システムにおいて潜時を低減しセッション制御を改善するためのシステムおよび方法に向けられている。
【００１５】
したがって、この発明の一つの相は、アクセスプローブを送信することと、通信パラメータに関する所定基準を確立することと、前記所定基準に基づいて通信装置に再送タイムアウト値を設定することとを有し、前記再送タイムアウト値は、前記通信装置がアクセスプローブの再送を始める前に前記アクセスプローブの伝送に続く認識を待つ時間量である、グループ通信システムにおいて潜時を低減するための方法を開示する。
【００１６】
この発明の別の相は、アクセスプローブを送信するように構成された論理と、通信パラメータに関する所定基準を確立するように構成された論理と、前記所定基準に基づいて通信装置に再送タイムアウト値を設定するように構成された論理とを備え、前記再送タイムアウト値は、前記通信装置がアクセスプローブの再送を始める前に前記アクセスプローブの伝送に続く認識を待つ時間量である装置を含み得る。
【００１７】
この発明の別の相は、アクセスプローブを送信するための手段と、通信パラメータに関する所定基準を確立するための手段と、前記所定基準に基づいて通信装置に再送タイムアウト値を設定するための手段とを備え、前記再送タイムアウト値は、前記通信装置がアクセスプローブの再送を始める前にアクセスプローブの伝送に続く認識を待つ時間量であるシステムを含み得る。
【００１８】
この発明の別の相は、アクセスプローブを送信することと、通信パラメータに関する所定基準を確立することと、前記所定基準に基づいて通信装置に再送タイムアウト値を設定することとを有し、前記再送タイムアウト値は、前記通信装置がアクセスプローブの再送を始める前にアクセスプローブの伝送に続く認識を待つ時間量である方法を、実行されたときに、コンピューティング装置に実施させる命令を有するコンピュータプログラムが格納されたコンピュータ読取可能媒体を含み得る。
【図面の簡単な説明】
【００１９】
この発明の限定ではなく例証のためだけに紹介される添付図面に関連して考慮される続く詳細な説明の参照によってより良く理解されてくるとき、この発明の実施形態とそれに付随する多くの利点のより完全な認識が容易に得られるであろう。
【図１】図１は、この発明の少なくとも一つの実施形態にしたがうアクセス端末とアクセスネットワークを支持する無線ネットワークアーキテクチャの代表的なブロック図である。
【図２】図２は、この発明の少なくとも一つの実施形態にしたがうアクセス端末のより詳細な代表的なブロック図である。そして
【図３】図３は、この発明の少なくとも一つの実施形態にしたがう潜時を低減するための方法を示す代表的なブロック図である。
【発明を実施するための形態】
【００２０】
（発明の詳細な説明）
この発明のさまざまな実施形態は、この発明の特定の実施形態に向けられた続く説明および関連図面に開示される。この発明の趣旨と要旨から逸脱しない範囲において代替実施形態が考案されてもよい。付加的に、この発明の周知の要素は、この発明の適切な詳細を不明瞭にしないように詳細に説明されないか省略されるだろう。
【００２１】
単語「代表的」は、「実例、例または例証」であることを意味するためにここに使用される。「代表的」としてここに説明されるあらゆる実施形態は必ずしも、他の実施形態を超えて好適または有利であると解釈されるべきではない。同様に、用語「この発明の実施形態」は、この発明のすべての実施形態が、論じられた特徴、利点または動作のモードを含むことを必要としない。
【００２２】
さらに、多くの実施形態は、たとえばコンピューティング装置の素子によって実施される動作のシーケンスの見地から説明される。ここに説明されるさまざまな動作は、特定回路（たとえば特定用途向け集積回路（ＡＳＩＣ））によって、一つ以上のプロセッサーによって実行されるプログラム命令によって、または両者の組み合わせによって実施することができることが認められるであろう。付加的に、ここに説明される動作のこれらのシーケンスは、関連づけられたプロセッサーにここに説明される機能を実施させるコンピュータ命令の対応セットをその中に格納しているコンピュータ読取可能記憶媒体のあらゆる形態内に完全に具体化されると認められ得る。したがって、この発明のさまざまな相は、多くの異なる形式で具体化されてよく、そのすべては請求主題の要旨の範囲内に意図される。さらに、ここに説明される実施形態のおのおのについて、あらゆるそのような実施形態の対応形式は、たとえば、説明される動作を実施する「ように構成された論理」としてここに説明され得る。
【００２３】
アクセス端末（ＡＴ）とここに呼ばれるハイデータレート（ＨＤＲ）加入者局は移動体であり得、モデムプールトランシーバ（ＭＰＴ）基地局トランシーバ（ＢＴＳ）、基地局（ＢＳ）またはより一般的にアクセスポイントとここに呼ばれる一つ以上のＨＤＲ基地局と通信し得る。アクセス端末は、一つ以上のモデムプールトランシーバを介して、モデムプールコントローラ（ＭＰＣ）、基地局コントローラ（ＢＳＣ）および／または移動通信交換局（ＭＳＣ）と呼ばれるＨＤＲ基地局コントローラにデータパケットを送受信する。これらの要素は、アクセスネットワークまたは無線アクセスネットワーク（ＲＡＮ）と呼ばれるネットワークの一部である。アクセスネットワークは、多元接続端末間でデータパケットを移送する。アクセスネットワークは、企業イントラネットまたはインターネットなどのアクセスネットワークの外部の付加ネットワークにさらに接続され得、各アクセス端末とそのような外部ネットワークとの間でデータパケットを移送し得る。一つ以上のアクセスポイントとのアクティブトラヒックチャネル接続を確立したアクセス端末はアクティブアクセス端末と呼ばれ、トラヒック状態にあると言われる。一つ以上のアクセスポイントとのアクティブトラヒックチャネル接続を確立する過程中にあるアクセス端末は接続セットアップ状態にあると言われる。
【００２４】
アクセス端末は、無線チャネルを介しておよび／またはたとえば光ファイバーまたは同軸ケーブルを使用している有線チャネルを介して通信するどのようなデータ装置であり得る。アクセス端末は、ＰＣカード、コンパクトフラッシュ（登録商標）、外付または内蔵モデム、または無線またはワイヤ線電話を含むこれらに限定されない多くのタイプのどのような装置であり得る。それを介してアクセス端末がアクセスポイントへ信号を発信する通信リンクは、逆方向リンクまたはトラヒックチャネルと呼ばれる。それを介してアクセスポイントがアクセス端末へ信号を発信する通信リンクは、順方向リンクまたはトラヒックチャネルと呼ばれる。ここに使用されるように、用語トラヒックチャネルは、一般に順方向または逆方向トラヒックチャネルのいずれかを指し得る。
【００２５】
付加的に、この発明の代表的な実施形態は、無線システムおよびＣＤＭＡ １ｘおよび１ｘＥＶシステムなどの独自技術の見地から説明され得るが、この発明が例証のシステムに限定されないことを当業者は認めるであろう。たとえば、この発明の実施形態は、グループ通信を確立するために使用され得るあらゆるシステムを含み得る。
【００２６】
図１は、この発明の少なくとも一つの実施形態にしたがう無線システム１００の一つの代表的な実施形態のブロック図を示す。システム１００は、パケット交換データネットワーク（たとえばイントラネット、インターネットおよび／またはキャリアネットワーク１２６）とアクセス端末１０２，１０８，１１０，１１２との間のデータ接続性を提供するネットワーク装置にアクセス端末１０２を接続することができるアクセスネットワークまたは無線アクセスネットワーク（ＲＡＮ）１２０とエアインターフェース１０４を通して通信する携帯電話１０２などのアクセス端末を包含し得る。ここに示されるように、アクセス端末は、携帯電話１０２、携帯情報端末１０８、ページャー１１０（２ウェイテキストページャーとしてここに示される）または無線通信ポータルを有する個々のコンピュータプラットフォーム１１２であり得る。この発明の実施形態は、限定することなく、無線モデム、ＰＣＭＣＩＡカード、パーソナルコンピュータ、電話またはそれらのあらゆる組み合わせまたは半組み合わせを含む、無線通信ポータルを含むか無線通信能力を有するアクセス端末のあらゆる形式で実現され得る。さらに、ここに使用されるように、用語「アクセス端末」、「無線装置」、「クライアント装置」、「移動体端末」およびそれらのバリエーションは交換可能に使用され得る。さらに、ここに使用されるように、用語「アクセスポイント」、「モデムプールトランシーバ」（ＭＰＴ）、「無線基地局」（ＢＴＳ）、「基地局（ＢＳ）」およびそれらの同様なバリエーションは交換可能に使用され得る。
【００２７】
図１に戻って参照すると、この発明の代表的な実施形態の無線ネットワーク１００のコンポーネントおよび要素の相互関係は例証の構成に限定されない。システム１００は単に代表的であり、無線クライアントコンピューティング装置１０２、１０８、１１０などの遠隔アクセス端末が相互間で、および／または、キャリアネットワーク、コアネットワーク、インターネットおよび／または他のリモートサーバーを、限定することなく、含むエアインターフェース１０４およびＲＡＮ１２０を経由して接続された要素間で、オーバー・ザ・エア(over-the-air)で通信することを可能にするあらゆるシステムを含み得る。
【００２８】
ＲＡＮ１２０は、ＭＰＣ／ＭＳＣ１２２に発信される（データパケットとして発信一般にされる）メッセージを制御する。キャリアネットワーク１２６は、ネットワーク、インターネットおよび／または公衆交換電話ネットワーク（ＰＳＴＮ）によってＭＰＣ／ＭＳＣ１２２と通信し得る。あるいは、ＭＰＣ／ＭＳＣ１２２は、インターネットまたは外部ネットワークに直接接続し得る。一般に、キャリアネットワーク１２６とＭＰＣ／ＭＳＣ１２２との間のネットワークまたはインターネット接続はデータを転送し、ＰＳＴＮは音声情報を転送する。ＭＰＣ／ＭＳＣ１２２は、多数の基地局（ＢＳ）またはモデムプールトランシーバ（ＭＰＴ）１２４に接続され得る。キャリアネットワークに似た手法で、ＭＰＣ／ＭＳＣ１２２は、データ転送および／または音声通信のためのネットワーク、インターネットおよび／またはＰＳＴＮによってＭＰＴ／ＢＳ１２４に一般に接続される。ＭＰＴ／ＢＳ１２４は、携帯電話１０２などのアクセス端末へデータメッセージを無線で放送し得る。この技術分野で知られているように、ＭＰＴ／ＢＳ１２４、ＭＰＣ／ＭＳＣ１２２および他のコンポーネントは、ＲＡＮ１２０を形成し得る。
【００２９】
図２を参照すると、たとえば携帯電話などのアクセス端末２００（たとえば通信装置、無線装置、ハンドセット、その他）は、キャリアネットワーク１２６、インターネットおよび／または他のリモートサーバーおよびネットワークから最後に到来し得るＲＡＮ１２０から送信されるソフトウェアアプリケーション、データおよび／またはコマンドを受け取り実行し得るプラットフォーム２０２を有する。プラットフォーム２０２は、特定用途向け集積回路（「ＡＳＩＣ」２０８）、または他のプロセッサー、マイクロプロセッサー、論理回路または他のデータ処理装置に操作可能に接続されたトランシーバ２０６を含み得る。ＡＳＩＣ２０８または他のプロセッサーは、無線装置のメモリ２１２内のあらゆる常駐プログラムとインターフェースで接続し得るアプリケーションプログラミングインターフェース（「ＡＰＩ」）２１０層を実行し得る。メモリ２１２は、リードオンリーまたはランダムアクセスメモリ（ＲＡＭとＲＯＭ）、ＥＥＰＲＯＭ、フラッシュカードまたはコンピュータプラットフォームに共通の任意のメモリで構成し得る。プラットフォーム２０２はまた、メモリ２１２内で能動的に使用されないアプリケーション／データを保持することができるローカルデータベース２１４を含み得る。ローカルデータベース２１４は一般的にフラッシュメモリセルであるが、磁気媒体、ＥＥＰＲＯＭ、光学的媒体、ソフトまたはハードディスクおよび同様のものなどのこの技術分野で知られているようなあらゆる補助記憶装置であり得る。この技術分野で知られているように、内部プラットフォーム２０２コンポーネントはまた、とりわけ、アンテナ２２２、ディスプレイ２２４、プッシュ・トゥ・トークボタン２２８およびキーパッド２２６などの外部装置に操作可能に接続され得る。
【００３０】
したがって、この発明の相は、ここに説明される機能を実施する能力を有するアクセス端末を含み得る。当業者に認められるように、さまざまな論理素子は、ここに示される機能性を達成する個別素子、プロセッサー上で実行されるソフトウェアモジュールまたはソフトウェアモジュールとハードウェアとのあらゆる組み合わせで具体化され得る。たとえば、ＡＳＩＣ２０８、メモリ２１２、ＡＰＩ２１０およびローカルデータベース２１４はすべて、ここに示されるさまざまな機能をロードし格納し実行するために共働的に使用され得、したがって、これらの機能を実施する論理はさまざまな素子上に分配され得る。あるいは、機能性は一つの個別コンポーネント内に組み込まれ得るであろう。したがって、図２のアクセス端末の特徴は単なる例証と見なされるべきであり、この発明は例証の特徴または配置に限定されない。
【００３１】
ここに使用されるように、「アクセス端末」は、たとえば、常駐設計論理を実行する一つ以上の処理回路を有し、そのようなコンピューティング装置は、たとえば、ここに説明される動作を少なくとも実施するように構成されたプロセッサーおよび論理を包含しているマイクロプロセッサー、ディジタルシグナルプロセッサー（ＤＳＰ）、マイクロコントローラ、またはハードウェア、ソフトウェアおよび／またはファームウェアのあらゆる好適な組み合わせを含む。本発明の実施形態にしたがって使用され得るアクセス端末または無線装置のいくつかの例は、携帯電話または他の無線通信ユニット、携帯情報端末（ＰＤＡ）、ページング装置、携帯型ナビゲーション装置、携帯ゲーム機、音楽またはビデオコンテンツダウンロードユニット、および他の同種の無線通信装置を含む。
【００３２】
アクセス端末１０２とＲＡＮ１２０との間の無線通信は、符号分割多元接続（ＣＤＭＡ）、時分割多元接続（ＴＤＭＡ）、周波数分割多元接続（ＦＤＭＡ）、グローバル移動体通信システム（ＧＳＭ）、または無線通信ネットワークまたはデータ通信ネットワークで使用され得る他のプロトコルなどの異なる技術に基づき得る。データ通信は一般に、クライアント装置１０２とＭＰＴ／ＢＳ１２４とＭＰＣ／ＭＳＣ１２２との間にある。ＭＰＣ／ＭＳＣ１２２は、キャリアネットワーク１２６、ＰＳＴＮ、インターネット、仮想プライベートネットワーク、および同様のものなどの多数のデータネットワークに接続されることにより、より広い通信ネットワークへのアクセス端末１０２アクセスを許可し得る。先に論じられ、この技術分野で知られているように、音声送信および／またはデータはＲＡＮ１２０からアクセス端末に送信され得る。
【００３３】
背景技術で論じられたように、グループ通信システムは、各グループメンバーに割り当てられたアクセス端末を使用して互いに通信するアクセス端末ユーザーのグループを含み得る。グループ通信システム／ＰＴＴシステムは幾人かのメンバー間のものと考えられ得るが、システムはこの形態に限定されるものではなく、一対一ごとの各個装置間の通信に適用し得る。グループメンバーは、ＡＴ１０２、１０８および１１２などの割り当てアクセス端末（ＡＴ）を使用して互いに通信し得る。ＡＴは、地上無線電話、プッシュ・トゥ・トーク能力を有するワイヤ線電話、プッシュ・トゥ・トーク機能性を備えた衛星電話、無線ビデオカメラ、スチルカメラ、音楽レコーダーまたはプレーヤーなどのオーディオ装置、ラップトップまたはデスクトップコンピュータ、ページング装置またはそれらのいかなる組み合わせなどのワイヤ線または無線装置であり得る。さらに、各ＡＴは、安全モードまたは不安全（明瞭）モードのいずれかで情報を発信し受信することが可能であり得る。アクセス端末（ＡＴ）への言及は例証または列挙された例に限定されることを意図するものではなく、インターネットプロトコル（ＩＰ）にしたがってパケット情報を送受信する能力を有する他の装置を包含し得ると理解されるべきである。
【００３４】
グループメンバーがグループの他のメンバーへ情報を送信することを望むとき、メンバーは、ＡＴのプッシュ・トゥ・トークボタンまたはキーを押すことによって伝送特権を要求し得、分散ネットワーク上への伝送用にフォーマットされたリクエストを生成する。たとえば、リクエストは、ＡＴ１０２を使用して、一つ以上のＭＰＴ（または基地局）１２４にオーバーザエア(over the air)で送信され得る。データパケットを処理するためのＭＰＣ／ＭＳＣ１２２は、それは周知の相互作業機能（ＩＷＦ）、パケットデータサービングノード（ＰＤＳＮ）またはパケット制御機能（ＰＣＦ）を含み得、ＭＰＴ／ＢＳ１２４と分散ネットワークとの間に存在し得る。しかしながら、そのリクエストはまた、公衆交換電話ネットワーク（ＰＳＴＮ）を介してキャリアネットワーク１２６に送信され得る。キャリアネットワーク１２６はリクエストを受信し、それをアクセス端末への配信のためのＲＡＮに提供し得る。
【００３５】
図３は、この発明の少なくとも一つの実施形態にしたがうアクセスチャネル上へのアクセスプローブ伝送を示す代表的なブロック図である。アクセスプローブが通信ネットワーク上に送信される３００。通信パラメータに関して確立された一つまたは複数の所定基準がある３０２。所定基準に基づいた再送タイムアウト値が設定される３０４。たとえば、再送タイムアウト値は、アクセスプローブ伝送の間に動的に調節され得る（３０４、例１）。別の例では、再送タイムアウト値は、バックホール遅延に基づいてアクセスチャネル上へのすべての伝送前に調節され得る（３０４、例２）。
【００３６】
付加的に、最初の送信電力（たとえばＩＰまたはＰｉｎｉｔ）がチャネル負荷に基づいて決定される。したがって、最初のランダムバックオフと強化送信電力決定の両方がアクセスプローブの成功受信の可能性を増加させるために使用される。
【００３７】
予測アルゴリズムは、バックホール遅延の過去観測を使用して、アクセスチャネル上へのその次のアクセスプローブ伝送に対する適当な値を決定する。短時間スケール上のバックホール遅延の時間相関を利用することにより、予測アルゴリズムは再送タイムアウト値を必要なだけ小さく設定することが可能である。
【００３８】
再送タイムアウト値の動的調整は、特にネットワークが軽くロードされるとき、遅延の著しい減少につながる。この特徴は、呼出設定の間の最初のＰＴＴの潜時を低減するので、プッシュ・トゥ・トーク（ＰＴＴ）呼出に特に有用である。
【００３９】
再送タイムアウト値（たとえばＣＤＭＡ１ＸのＡＣＣ＿ＴＭＯ）は、強化アクセスパラメータメッセージ中の規定値に基づいてハンドセットに設定される。この値は、アクセスプローブ伝送の間に動的に調節されず、しばしば保存的であり得る。
【００４０】
再送タイムアウト値ＡＣＣ＿ＴＭＯは、強化アクセスパラメータメッセージ中の規定値に基づいてハンドセットに設定される。再送タイムアウト値は、ハンドセットがアクセスプローブの再送を始める前にアクセスプローブの伝送に続くＬ２ＡＣＫを待つ時間量である。
【００４１】
一例として、ＰＴＴアクセスプローブについては、この値は、Ｌ２ＡＣＫ（２０ｍｓｅｃ）を送信することのＯＴＡ遅延のほかにバックホール／処理遅延をとらえる間で、できる限り小さい値に設定されるべきである。たとえば、ＡＣＣ＿ＴＭＯが７に設定されるならば、それは１６０ｍｓｅｃ（＝（７＋１）＊２０）と等価である。この設定は、予期されるバックホール遅延が１４０ｍｓｅｃであることを暗示する。非常に軽くロードされたシステムでは、バックホール遅延は、１４０ｍｓｅｃと比較して著しく低い値、４０ｍｓｅｃであることが観測された。一つは、理想条件下では、再送タイムアウト値は４０＋２０の＝６０ｍｓｅｃと同程度に低く潜在的に設定され得るであろうと結論付け得るであろう。追加の２０ｍｓｅｃは、Ｌ２ＡＣＫのＯＴＡ遅延をとらえるために必要である。
【００４２】
これは、アクセスチャネル上へのすべての伝送前の再送タイムアウト値がバックホール遅延の最近の観測値に基づいたことを示す傾向があるであろう。
【００４３】
再送タイマーは、アクセスパラメータメッセージによって特定される値、たとえば１４０＋２０＝１６０ｍｓｅｃにしたがって初期化される。アクセスチャネル上への最初のメッセージの伝送に続くＬ２ＡＣＫの受信と同時に。
【００４４】
たとえば、ＡＮＮＯＵＮＣＥ＿ＡＣＫメッセージの伝送前のターゲットハンドセットの再送タイマー値は、８０２６ページ応答メッセージのためのＬ２ＡＣＫを得る際の観測バックホール遅延に基づいて設定され得る。同様に、ターゲットハンドセットのＯＲＩＧＩＮＡＴＩＯＮメッセージのための再送タイムアウト値は、ＡＮＮＯＵＮＣＥ＿ＡＣＫメッセージの伝送に続くバックホール遅延のほかに８０２６ページ応答メッセージの伝送に続く観測バックホール遅延の両方を考慮し得るであろう。発信者ハンドセットは、すべてのメッセージについて再送タイマー値を設定し得、同様の手法でＣＡＬＬメッセージに続いて送信する。
【００４５】
再送タイムアウト値の決定における主な入力は次のとおりである。
【００４６】
１．アクセスチャネル上への（新しい呼出のための）最初のメッセージ伝送に続くすべての先の伝送の観測バックホール遅延。
【００４７】
２．Ｆ−ＣＣＣＨ上へのバックホール遅延の自己相関関数または時間間隔にわたるバックホール遅延の時間相関に関する情報を我々に提供する交互のいくつかのパラメトリック曲線。
【００４８】
入力として上記の二つのアイテムを使用し、レビンソンのアルゴリズムを適用することにより、一連の一次方程式を解くことによって計算された重みを備えた観測バックホール遅延の重み和として次のプローブ伝送のための再送タイムアウト値を決定することが可能である。
【００４９】
バックホール遅延の自己相関関数が入力として利用可能でないならば、再送タイムアウト値を決定するために一次の自己回帰移動平均アルゴリズム（ＡＲＭＡ）が使用され得る。このアルゴリズムは次のように発展する単純な加重移動平均アルゴリズムである。
【００５０】
ＡＣＣ＿ＴＭＯ（ｋ＋１）＝β＊（αＡＣＣ＿ＴＭＯ（ｋ）＋（１−α）Ｘ＿ｋ＋ｎ＿ｋ）、
ここで、ＡＣＣ＿ＴＭＯ（ｋ＋１）は（ｋ＋１）番目プローブ伝送のために設定される再送タイムアウト値であり、Ｘ＿ｋはｋ番目プローブ伝送に続く観測バックホール遅延であり、ｎ＿ｋはバックホール遅延の不規則変動をモデル化するゼロ平均ランダムプロセスであり、αは１未満の適当な値に設定されなければならい定数であり、βは１以下の適当な値に設定されなければならい定数である。たとえば、Ｆ−ＣＣＣＨ上に送信されたメッセージはフレーム単位でスケジュールされ、それからｎ＿ｋが｛−１０〜１０｝ｍｓｅｃの間隔で分配される。Ｆ−ＣＣＣＨ上に送信されたメッセージはスロット単位でスケジュールされ、それからｎ＿ｋが｛−４０〜４０｝ｍｓｅｃの間隔で分配される。往復時間の直前のサンプルに基づいて再送タイマーを調節することがＬ２ＡＣＫの到着の期待時間の正確な推定を提供する間、再送がＬ２ＡＣＫの到着前に始められるならば著しい不利益はない。特に、再送手順が進行中である間に再送が呼び出されＬ２ＡＣＫメッセージが受信されたならば、再送手順はＣＤＭＡネットワーク中で異常終了する。したがって、再送タイマー値を過小推定する許容範囲は、著しいオーバー・ザ・エア(over-the-air)リソース活用（アクセスチャネル）につながらない。しかしながら、再送の周波数を限定するために、再送タイマーは途方もなく小さい値に設定してはならない。これらのトレードオフが与えられて、βの最適値が決定され得る。再送タイマーの過大推定は、再送を始める際に追加遅延につながり得る。したがって、予測アルゴリズムはパラメータβを通してバイアスされ過大推定を十分に小さい蓋然性に限定する。
【００５１】
通常の当業者は、他のタイプのアルゴリズム（たとえば自己相関アルゴリズム、移動平均アルゴリズム、その他）が本発明の趣旨と要旨から逸脱しない範囲において使用され得ることを認めるであろう。
【００５２】
特にＬ２ＡＣＫｓがＳＤＢメッセージと抱き合わされるとき、バックホール遅延を決定する際に注意しなければならない。そのような場合、抱き合わされたＬ２ＡＣＫがＳＤＢメッセージ伝送に先行すると好都合であろう。ＳＤＢメッセージの端でＬ２ＡＣＫを送信することは、ＳＤＢメッセージのＯＴＡ時間だけＬ２ＡＣＫの到着を遅らせ、その結果、ハンドセットに不必要なタイムアウトを引き起こすことがある。抱き合わされたＬ２ＡＣＫｓがＳＤＢメッセージを追跡する場合、バックホール遅延は、Ｌ２ＡＣＫの往復時間からのＳＤＢメッセージのＯＴＡ時間を差し引くことによって決定しなければならない。通信システムでは、バックホールは、コントローラとアクセスポイントとの間の通信リンクに関する。
【００５３】
さらに、論理素子の配置は例証の利便性のためだけのものであり、この発明の実施形態の限定するものと解釈されるべきでない。当業者によって認められるように、ここに説明される論理素子の機能性は、一つの要素中に集積されるか、さまざまなハードウェアおよびソフトウェア要素間に望ましく分配されてもよい。
【００５４】
当業者は、前述の説明中で意図または暗示される方法機能ブロックを実施または実行する特定の順番はないことを認めるであろう。上に論じられる先の方法は、同じ目的を達成するためにそれら自体によってまたはそれらのいかなる組み合わせで使用され得る。
【００５５】
さらなる実施形態では、当業者は、コンピュータプラットフォームのメモリなどのコンピュータ読取可能媒体上で具体化されるプログラムの実行によって先の方法が実現され得ることを認めるであろう。その命令は、さまざまなタイプの信号方位またはデータ記憶主、二次または三次媒体内に存在し得る。媒体はたとえば、クライアント装置および／またはサーバーによって、またはその内部に存在する、アクセス可能なＲＡＭを備え得る。ＲＡＭ、ディスケットまたは他の二次記憶媒体のいずれに包含されていようとも、命令は、ダイレクトアクセス記憶装置（ＤＡＳＤ）記憶（たとえば従来の「ハードドライブ」またはＲＡＩＤアレイ）、磁気テープ、電子リードオンリー媒体（たとえばＲＯＭまたはＥＥＰＲＯＭ）、フラッシュメモリカード、光学的記憶装置（たとえばＣＤ−ＲＯＭ、ＷＯＲＭ、ＤＶＤ、ディジタル光学テープ）、紙「パンチ」カード、またはディジタルおよびアナログ伝送媒体を含む他の好適なデータ記憶媒体などのさまざまな機械読取可能データ記憶媒体上に格納され得る。
【００５６】
開示実施形態の前述の説明はあらゆる当業者が本発明をするか使用することを可能にするために提供される。それらの実施形態へのさまざまな変更は当業者に容易に明白であろうし、ここに規定される総括的原理はこの発明の趣旨または要旨から逸脱しない範囲において他の実施形態に適用され得る。したがって、本発明は、ここに示される実施形態に限定されることを意図するものではなく、ここに開示される原理と新規な特徴に矛盾しない最も広い要旨が与えられるべきものである。
【００５７】
先の開示はこの発明の例証の実施形態を示しているが、添付の請求の範囲によって規定されるこの発明の要旨から逸脱しない範囲において、さまざまな変更と変更がここになされ得るであろうことに注目すべきである。ここに説明されたこの発明の実施形態にしたがう方法請求項の動作とステップはいかなる特定の順番で実施される必要はない。さらに、この発明の要素は単数で説明されているかもしれないが、単数への限定が明示的に述べられない限り、複数が考えられる。
【図１】
2010512721.tif 000003
【図２】
2010512721.tif 000004
【図３】
2010512721.tif 000005
【国際調査報告】
2010512721.tif 000006
2010512721.tif 000007
2010512721.tif 000008